【事件の表示】
　特許第３１６３０７６号「乗用田植機における植付部伝動構造」の請求項１に係る特許に対する特許異議の申立てについて、次のとおり決定する。
【結　論】
　訂正を認める。
　特許第３１６３０７６号の請求項１に係る特許を維持する。
【理　由】
１．手続きの経緯
　本件特許第３１６３０７６号発明は、平成１年３月３１日に出願された特願平１−８３１４４号出願の一部を分割して平成１１年８月９日に出願され、平成１３年２月２３日にその特許の設定登録がなされ、その後、新穂友志より請求項１に係る発明について特許異議の申立てがなされ、取消理由通知がなされ、その指定期間内である平成１４年５月２０日に訂正請求がなされ、再度の取消理由通知がなされ、その指定期間内である平成１４年１１月２５日に訂正請求がなされると共に前回の訂正請求が取り下げられたものである。
　
２．訂正の適否についての判断
（１）訂正の内容
　１）訂正事項ａ
　特許請求の範囲を次に訂正する。
「【請求項１】複数条分の苗載部を設けた苗載台（３３）を、一定ストロークで左右往復動自在に植付駆動ケース（２２）に支持させると共に、前記苗載台（３３）のストロークエンドにおいて載置苗を所定量づつ縦送りする縦送り装置を設けた乗用田植機であって、前記縦送り装置を縦送り駆動する操作部材に対して、前記苗載台（３３）が左右の移動端に位置する度に係合作動する縦送りカム（５２）を設けた縦送りカム軸（５１）を、その縦送りカム（５２）部分が前記植付駆動ケース（２２）の左右方向での横一側外方に位置する状態で配設し、この縦送りカム軸（５１）の一側を、前記
植付駆動ケース（２２）内にその両端を回転自在に支持した縦送り軸（４８）の一端に連結継手（５０−１）（５０−２）を介して連動連結することにより
植付伝動軸（５７）に連結継手（５６）を介して連結した植付駆動スプロケット（５４）を回動自在に軸支する植付駆動ケース（２２）に連結され、かつ、植付機構部（３４）に連設された連結パイプ（７１）を介して軸支させるとともに、
　２）訂正事項ｂ
　明細書段落【０００５】を次に訂正する。
「【課題を解決するための手段】そこで、本発明では、複数条分の苗載部を設けた苗載台を、一定ストロークで左右往復動自在に植付駆動ケースに支持させると共に、前記苗載台のストロークエンドにおいて載置苗を所定量づつ縦送りする縦送り装置を設けた乗用田植機であって、前記縦送り装置を縦送り駆動する操作部材に対して、前記苗載台が左右の移動端に位置する度に係合作動する縦送りカムを設けた縦送りカム軸を、その縦送りカム部分が前記植付駆動ケースの左右方向での横一側外方に位置する状態で配設し、この縦送りカム軸の一側を、前記
植付駆動ケース内にその両端を回転自在に支持した縦送り軸の一端に連結継手を介して連動連結することにより
植付伝動軸に連結継手を介して連結した植付駆動スプロケットを回動自在に軸支する植付駆動ケースに連結され、かつ、植付機構部に連設された連結パイプを介して軸支させるとともに、
　３）訂正事項ｃ
　明細書段落【００５６】の「コスト低下が図れる。」の後に、次を挿入する。
「また、本発明によれば、植付伝動軸を植付駆動ケースに連結継手を介して連結しているため、植付機構部を植付駆動ケースに容易に着脱することができ、植付機構部の植付駆動ケースへの組付け・取り外し作業を容易なものとすることができる。」
　
（２）訂正の目的、新規事項の有無、拡張変更の存否の各要件についての判断
　１）訂正事項ａについて
　本訂正は、縦送りカム軸の一側と延出端の具体的な軸支手段について、願書に添付した明細書又は図面に記載した事項（特に、明細書段落００１８，００２５，００２６，００２８，００２９，００３０，００３５及び図２，３等参照）の範囲内で限定するものであり、特許請求の範囲の減縮を目的とし、新規事項の追加に該当せず、実質上特許請求の範囲を拡張し又は変更するものでもない。
　２）訂正事項ｂ，ｃについて
　これらの訂正は、訂正された特許請求の範囲に発明の詳細な説明の記載を整合させるためのものであり、明りょうでない記載の釈明を目的とし、新規事項の追加に該当せず、実質上特許請求の範囲を拡張し又は変更するものでもない。
　
（３）訂正の適否のまとめ
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書、及び第２項及び第３項の規定に適合するので、当該訂正を認める
　
３．異議申立てについての判断
（１）異議申立ての概要
　異議申立人新穂友志は、甲第１，２号証、甲第２号証の２乃至６、及び甲第３乃至７号証を提出し、本件請求項１に係る発明は、（Ａ）甲第１号証に記載された発明であり、特許法第２９条第１項第３号に規定する発明に該当するから、その特許は拒絶の査定をしなければならない特許出願に対してされたものである旨主張し、又、（Ｂ）その特許査定前にされた平成１２年１０月２０日付け手続補正書による補正は明細書の要旨を変更するものであり、その出願日が該手続補正書の提出日まで繰り下がる結果、甲第６又は７号証に記載された発明と同一であって、特許法第２９条第１項第３号に規定する発明に該当するから、その特許は特許法第２９条第１項の規定に違反してされたものである旨主張している。
　
（２）要旨変更（申立理由Ｂ）について
　申立人が申立理由Ｂで主張する要旨変更の理由は、本件請求項１記載中の縦送りカム軸の横一側外方への延出端を「機体最外側に配置した植付爪（６６）の近傍に配置し」ている点が、本件の出願当初の明細書又は図面（甲第７号証（特開２０００−４１４３０号公報）参照、以下、「本件当初明細書」という）に記載されていない事項であるというにある。
　そこで検討するに、植付爪は回動軌跡を描くものであって機体前後方向では位置が変動するため、機体前後方向では植付爪との配置関係を明確に定め難い一方、機体左右幅方向では植付爪の位置が固定されているため、機体左右幅方向では植付爪との配置関係を明確に定め得ることが明らかである。
　そして、特許査定時の明細書には、段落０００４に、従来の問題点として、縦送りカムが左右幅方向の中央よりに位置しているとメンテナンスの際に中央側へ手を伸ばさなければならないという問題点があった旨、同段落００５６に、発明の効果として、縦送りカム軸の横一側外方への延出端を機体最外側に配置した植付爪の近傍に配置したことによって横外側方から縦送りカムのメンテナンスが行い易くなった旨記載されている。
　これらのことを勘案すれば、上記「機体最外側に配置した植付爪（６６）の近傍に配置し」は、機体左右幅方向での配置関係を規定するものであって、機体前後方向でも近傍であると規定するものでないことは明らかである。
　ところで、本件当初明細書には、段落０００４に、従来の問題点として、縦送りカムが左右幅方向の中央よりに位置しているとメンテナンスの際に中央側へ手を伸ばさなければならないという問題点があった旨、段落０００５に、その課題解決手段として、縦送りカム軸の横一方側への延出端を左右方向での植付範囲の一側の外端近くに位置させている旨（即ち該延出端が機体左右幅方向での配置関係において最も外側の植付爪近くに位置していることを示唆するものである）、同段落００５６に、それによる効果として、横外側方から縦送りカムのメンテナンスが行い易くなる旨（即ち該延出端が横外側方からみれば間近にあることを示唆するものである）記載され、図２に、縦送りカム軸の横一側外方への延出端が、機体左右幅方向において、最も外側の植付爪に近い様子が描かれている。
　してみれば、本件当初明細書においても、該延出端に係る機体左右幅方向での配置関係を規定する上記「機体最外側に配置した植付爪（６６）の近傍に配置し」は記載されていたとみるべきであり、平成１２年１０月２０日付け手続補正書による補正は明細書の要旨を変更するものではないから、申立理由Ｂの主張には理由がなく採用できない。
　
　以下、申立理由Ａについて検討する。
　
（３）本件請求項１に係る発明
　本件請求項１に係る発明（以下、「本件発明」という）は、訂正明細書の特許請求の範囲の請求項１に記載されたとおりのものである（上記訂正事項ａ参照）。
　
（４）甲各号証とその記載事項
　甲各号証とその記載事項は次のとおりである。
　１）甲第１号証：実願昭６１−２０３００５号（実開昭６３−１０９７１５号）のマイクロフイルム
　複数条分の苗載部を設けた苗載台３を、一定ストロークで左右往復動自在に伝動ケース２に支持させると共に、前記苗載台３のストロークエンドにおいて載置苗を所定量づつ縦送りする縦送り装置を設けた乗用田植機であって、前記縦送り装置を縦送り駆動する操作部材に対して、前記苗載台３が左右の移動端に位置する度に係合作動する駆動カム１７を設けた縦送り軸１８を、その駆動カム１７部分が前記伝動ケース２の左右方向での横一側外方に位置する状態で配設し、この縦送り軸１８の一側を、前記伝動ケース２内を貫通させて伝動ケース２に軸支させると共に、前記縦送り軸１８の横一側外方への延出端を、プランター軸１３を貫通させて軸支する伝動ケース２に連結され、かつ、植付機構部に連設された連結パイプ（プランター軸１３を囲むもの）を介して軸支させるとともに、機体最外側に配置した植付爪（第２図で最も手前の植付爪）の近傍に配置していることを特徴とする乗用田植機における植付部伝動構造、等が記載されている。
　２）甲第２号証：特開昭６２−１１１６０９号公報
　歩行用田植機において、伝動ケース１５ａから横一側外方へ、横送り軸１５を、端部に縦送り爪１８を設けた作動軸１２と対応するように延出すること等が記載されている。
　３）甲第２号証の２：実開昭６２−８０５２４号公報
　甲第２号証と同内容のこと等が記載されている。
　４）甲第２号証の３：実開昭６３−１４０８１９号公報
　乗用田植機において、横送軸４３を伝動ケース１６から横外方へ延出すること、植付駆動スプロケットを一側で伝動機構４１を介して間接的に他側で直接的に連結継手を介して植付伝動軸（符号４２で示すもの）に連結し、連結パイプ１８が、その植付駆動スプロケットを回動自在に軸支する伝動ケース１６の一側に中央植付伝動ケース１７を介して間接的に他側に直接的に連結され、かつ、植付機構部に連設されていること等が記載されている。
　５）甲第２号証の４：実開昭６３−１９１１１６号公報
　歩行用田植機において、両端にドライブカム２６，２７を設けた横送りネジ２３を伝動ケース１５内から横外方へ延出すること等が記載されている。
　６）甲第２号証の５：特開昭６０−６１１０号公報
　乗用田植機において、リードカム軸４３をケース３７とケース４５とで軸着支持すること等が記載されている。
　７）甲第２号証の６：特公昭４７−２５０９１号公報
　田植機において、横送り案内棒２をミッションケース２２の横外方へ延出すること等が記載されている。
　８）甲第３号証：実願昭６１−９０７３９号（実開昭６２−２０２１２４号）のマイクロフイルム
　乗用田植機において、ドライブケース８と伝動軸３６の一端に固定された回動体３５と伝動部４０等が記載されている。
　９）甲第４号証：実開昭５７−２０３７２０号公報
　乗用田植機において、伝動ケース１１の横一側から横送軸２５と相対する側の外方へ、ホロアカム３１を２個備えた縦送駆動軸３０を延出すること、植付駆動スプロケット（符号３８で示すもの）を一側で植付ケース１３を介して間接的に他側で直接的に連結継手を介して植付伝動軸（符号３５で示すもの）に連結し、連結パイプ（符号１２で示すもの）が、その植付駆動スプロケットを回動自在に軸支する伝動ケース１１の一側に植付ケース１３を介して間接的に他側に直接的に連結され、かつ、植付機構部に連設され、その連結パイプを介して縦送駆動軸３０の延出端を軸支すること等が記載されている。
　１０）甲第５号証：実開昭６１−１７０２２２号公報
　乗用田植機において、植付駆動ケース（横送りネジ（符号２３で示すもの）などを内包するケース）の横一側から横送りネジと相対する側の外方へ縦送りカム軸（符号２７で示すもの）を延出し、その延出端を軸支すること等が記載されている。
　
　なお、当審が通知した取消理由で新たに採用した証拠は、上記甲第２号証の２乃至４及び甲第４，５号証に係る出願（順に、実願昭６０−１７２８９０号、同６２−３４３３４号、同６２−８１８２６号、同５６−９０９７１号、同６０−５３３２７号）のマイクロフイルムである。
　また、甲第６号証（特開平２−２６１３０７号公報）と甲第７号証（特開２０００−４１４３０号公報）は上記申立理由Ｂが採用できないことから公知文献とはいえない。
　
（５）対比・判断
　本件発明（前者）と甲第１号証に記載された発明（後者）とを対比するに、後者の、「伝動ケース２」、「駆動カム１７」、「縦送り軸１８」、「プランター軸１３」は、それぞれ、前者の、「植付駆動ケース」、「縦送りカム」、「縦送りカム軸」、「植付伝動軸」に対応するから、両者は、「複数条分の苗載部を設けた苗載台を、一定ストロークで左右往復動自在に植付駆動ケースに支持させると共に、前記苗載台のストロークエンドにおいて載置苗を所定量づつ縦送りする縦送り装置を設けた乗用田植機であって、前記縦送り装置を縦送り駆動する操作部材に対して、前記苗載台が左右の移動端に位置する度に係合作動する縦送りカムを設けた縦送りカム軸を、その縦送りカム部分が前記植付駆動ケースの左右方向での横一側外方に位置する状態で配設し、この縦送りカム軸の一側を、前記植付駆動ケースに軸支させると共に、前記縦送りカム軸の横一側外方への延出端を、植付駆動ケースに連結され、かつ、植付機構部に連設された連結パイプを介して軸支させるとともに、機体最外側に配置した植付爪の近傍に配置していることを特徴とする乗用田植機における植付部伝動構造。」において一致し、次の点で相違する。
　＜相違点＞前者が、縦送りカム軸の一側を、植付駆動ケース内にその両端を回転自在に支持した縦送り軸の一端に連結継手を介して連動連結することにより植付駆動ケースに軸支させ、植付駆動ケースに、植付伝動軸に連結継手を介して連結した植付駆動スプロケットを回動自在に軸支しているのに対して、後者は、縦送り軸１８（縦送りカム軸）の一側を、伝動ケース２（植付駆動ケース）内を貫通させて伝動ケース２（植付駆動ケース）に軸支させ、伝動ケース２（植付駆動ケース）に、プランター軸１３（植付伝動軸）を貫通させて軸支すると共に植付駆動スプロケットを備えていない点。
　
　相違点について検討するに、植付駆動ケースに、植付伝動軸に連結継手を介して連結した植付駆動スプロケットを回動自在に軸支することについては、一側で間接的に他側で直接的に連結継手を介して植付伝動軸に連結した植付駆動スプロケットを植付駆動ケースに回動自在に軸支することが甲第２号証の３や甲第４号証に記載されている。
　これらの記載からみて、甲第１号証記載の発明においても、植付駆動ケースに、植付伝動軸に連結継手を介して連結した植付駆動スプロケットを回動自在に軸支するようになすことは容易といえなくもない。
　しかしながら、縦送りカム軸の一側を、植付駆動ケース内にその両端を回転自在に支持した縦送り軸の一端に連結継手を介して連動連結することにより植付駆動ケースに軸支させることについては、甲第１乃至５号証に記載も示唆もなく、それらの記載からみて、植付駆動ケースの内部から外部へと延出している縦送りカム軸を、該内部と該外部とで連結自在な別体とすることが当業者において容易に想到し得ることであるとまではいえない。
　しかも、本件発明は、連結パイプを、植付伝動軸に連結継手を介して連結した植付駆動スプロケットを回動自在に軸支する植付駆動ケースに連結され、かつ、植付機構部に連設されたものとすることと、縦送りカム軸の一側を植付駆動ケース内にその両端を回転自在に支持した縦送り軸の一端に連結継手を介して連動連結することにより植付駆動ケースに軸支させること、及び、縦送りカム軸の横一側外方への延出端を該連結パイプを介して軸支させることとが相俟って、植付機構部の植付駆動ケースへの組付け・取り外し作業を縦送りカム軸を含めて容易にできるという格別の作用効果を奏するものである。
　したがって、本件発明は、甲第１号証に記載された発明であるとも、さらには甲第１乃至５号証に記載された発明に基づいて当業者が容易に発明をすることができたものであるともいえない。
　
４．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、平成６年改正法附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年１２月１２日（２００２．１２．１２）
【訂正の要旨】
訂正の要旨
　１）訂正事項ａ
　特許請求の範囲を、特許請求の範囲の減縮を目的として、次に訂正する。
「【請求項１】複数条分の苗載部を設けた苗載台（３３）を、一定ストロークで左右往復動自在に植付駆動ケース（２２）に支持させると共に、前記苗載台（３３）のストロークエンドにおいて載置苗を所定量づつ縦送りする縦送り装置を設けた乗用田植機であって、前記縦送り装置を縦送り駆動する操作部材に対して、前記苗載台（３３）が左右の移動端に位置する度に係合作動する縦送りカム（５２）を設けた縦送りカム軸（５１）を、その縦送りカム（５２）部分が前記植付駆動ケース（２２）の左右方向での横一側外方に位置する状態で配設し、この縦送りカム軸（５１）の一側を、前記
植付駆動ケース（２２）内にその両端を回転自在に支持した縦送り軸（４８）の一端に連結継手（５０−１）（５０−２）を介して連動連結することにより
植付伝動軸（５７）に連結継手（５６）を介して連結した植付駆動スプロケット（５４）を回動自在に軸支する植付駆動ケース（２２）に連結され、かつ、植付機構部（３４）に連設された連結パイプ（７１）を介して軸支させるとともに、
　２）訂正事項ｂ
　明細書段落【０００５】を、明りょうでない記載の釈明を目的として、次に訂正する。
「【課題を解決するための手段】そこで、本発明では、複数条分の苗載部を設けた苗載台を、一定ストロークで左右往復動自在に植付駆動ケースに支持させると共に、前記苗載台のストロークエンドにおいて載置苗を所定量づつ縦送りする縦送り装置を設けた乗用田植機であって、前記縦送り装置を縦送り駆動する操作部材に対して、前記苗載台が左右の移動端に位置する度に係合作動する縦送りカムを設けた縦送りカム軸を、その縦送りカム部分が前記植付駆動ケースの左右方向での横一側外方に位置する状態で配設し、この縦送りカム軸の一側を、前記
植付駆動ケース内にその両端を回転自在に支持した縦送り軸の一端に連結継手を介して連動連結することにより
植付伝動軸に連結継手を介して連結した植付駆動スプロケットを回動自在に軸支する植付駆動ケースに連結され、かつ、植付機構部に連設された連結パイプを介して軸支させるとともに、
　３）訂正事項ｃ
　明細書段落【００５６】の「コスト低下が図れる。」の後に、明りょうでない記載の釈明を目的として、次を挿入する。
「また、本発明によれば、植付伝動軸を植付駆動ケースに連結継手を介して連結しているため、植付機構部を植付駆動ケースに容易に着脱することができ、植付機構部の植付駆動ケースへの組付け・取り外し作業を容易なものとすることができる。」
（５４）【発明の名称】
乗用田植機における植付部伝動構造
（５７）【特許請求の範囲】
　【請求項１】　複数条分の苗載部を設けた苗載台（３３）を、一定ストロークで左右往復動自在に植付駆動ケース（２２）に支持させると共に、前記苗載台（３３）のストロークエンドにおいて載置苗を所定量づつ縦送りする縦送り装置を設けた乗用田植機であって、
　前記縦送り装置を縦送り駆動する操作部材に対して、前記苗載台（３３）が左右の移動端に位置する度に係合作動する縦送りカム（５２）を設けた縦送りカム軸（５１）を、その縦送りカム（５２）部分が前記植付駆動ケース（２２）の左右方向での横一側外方に位置する状態で配設し、この縦送りカム軸（５１）の一側を、前記
植付駆動ケース（２２）内にその両端を回転自在に支持した縦送り軸（４８）の一端に連結継手（５０−１）（５０−２）を介して連動連結することにより
植付伝動軸（５７）に連結継手（５６）を介して連結した植付駆動スプロケット５４を回動自在に軸支する植付駆動ケース（２２）に連結され、かつ、植付機構部（３４）に連設された連結パイプ（７１）を介して軸支させるとともに、
【発明の詳細な説明】
　【０００１】
　【産業上の利用分野】
　本発明は、乗用田植機における植付部伝動構造に関するものである。
　【０００２】
　【従来の技術】
　従来、乗用田植機における植付部伝動構造の一形態として、植付駆動ケースに、左右方向へ伸延する縦送りカム軸を貫通状態に取り付け、同縦送りカム軸の左右両端部にそれぞれ縦送りカムを設ける一方、苗載台に縦送り装置を設けて、同苗載台が左右の側端に移動する度に縦送り装置を縦送り駆動する操作部材に上記縦送りカムが係合作動して、同縦送り装遣を縦送り作動させるようにしたものがある。
　【０００３】
　【発明が解決しようとする課題】
　ところが、上記した植付部伝動構造では、縦送りカム軸が植付駆動ケースの左右側壁より左右両外側方へ延出されているために、苗載台に設けた縦送り装置の操作部材は、苗載台の左右方向への往復移動に伴って植付駆動ケースを跨いでその両側に移動することになり、その結果、操作部材が移動時に植付駆動ケースに干渉しないように、苗載台と植付駆動ケースとに間に非干渉空間を形成しなければならなくなって、同非干渉空間が植付部全体のコンパクト化の妨げとなっている。
　【０００４】
　しかも、植付駆動ケースにおける縦送りカム軸に対するシーリング個所が、植付駆動ケースの左右側壁の二個所となり、その分、シーリングコストがかかるという不具合がある。さらに、植付駆動ケースは、機体の左右幅のほぼ中央部に配置されているために、縦送り装置の操作部材や、その操作部材に係合作動する縦送りカムは、苗載台の左右幅方向で中央よりに位置しており、その結果、上記操作部材や操作部に対するメンテナンスを行う際には、機体の中央側へ手を伸ばして行わなければならないという煩雑さがあり、作業能率が良くないという不具合がある。
　【０００５】
　【課題を解決するための手段】
　そこで、本発明では、複数条分の苗載部を設けた苗載台を、一定ストロークで左右往復動自在に植付駆動ケースに支持させると共に、前記苗載台のストロークエンドにおいて載置苗を所定量づつ縦送りする縦送り装置を設けた乗用田植機であって、前記縦送り装置を縦送り駆動する操作部材に対して、前記苗載台が左右の移動端に位置する度に係合作動する縦送りカムを設けた縦送りカム軸を、その縦送りカム部分が前記植付駆動ケースの左右方向での横一側外方に位置する状態で配設し、この縦送りカム軸の一側を、前記
植付駆動ケース内にその両端を回転自在に支持した縦送り軸の一端に連結継手を介して連動連結することにより
植付伝動軸に連結継手を介して連結した植付駆動スプロケットを回動自在に軸支する植付駆動ケースに連結され、かつ、植付機構部に連設された連結パイプを介して軸支させるとともに、
　【０００６】
　【実施例】
　本発明の実施例を図面にもとづき詳説すれば、第１図及び第２図において、（Ａ）は乗用田植機であり、自走可能な走行部（Ｂ）の後方に植付部（Ｃ）を昇降機構（Ｄ）を介して連結している。
　【０００７】
　走行部（Ｂ）は、機体前後方向に位置させたアッパーフレーム（１）の前方上部にエンジン（２）を搭載し、エンジン（２）の後部にはステアリングシャフト（３）を立設して上部にステアリングホイル（３−１）を装着している。（４）は、エンジン（２）及び燃料タンク（４−１）などの上部をカバーするボンネットである。
　【０００８】
　エンジン（２）の下部にはミッションケース（５）を位置させて、同ミッションケース（５）の左右両側にはフロントアクスルケース（６）を設けて、これに前車軸（７−１）を介して前車輪（７）を装着していると共に、機体後方にリヤアクスルケース（８）を位置させて同リヤアクスルケース（８）の左右両側には後車輪（９）を装着している。（１０）はフロントアクスルケース（６）とリヤアクスルケース（８）とに掛け渡し状に連結するロアーフレームで、前記アッパーフレーム（１）よりも下側に位置している。
　【０００９】
　また、リヤアクスルケース（８）はロアーフレーム（１０）の左右後端と連結されながら、ミッションケース（５）との間にプロペラシャフト（１９）を介して連動連結している。（２０）はリヤアクスルケースの両側に突設する後車軸である。
　【００１０】
　（２１）は、田植機の走行部（Ｂ）のミッションケース（５）と植付部（Ｃ）の植付駆動ケース（２２）とを連動連結する植付駆動軸である。そして、かかる植付駆動軸（２１）は、前部駆動軸（２１−１）と後部駆動軸（２１−２）とを自在継手（２１−３）を介して連動連結している。
　【００１１】
　また、後部駆動軸（２１−２）は、外管軸（２１−４）と内管軸（２１−５）をスプライン嵌合して伸縮自在に構成していると共に、同内管軸（２１−５）を植付駆動ケース（２２）に連動連結している。
　【００１２】
　したがって、上記植付駆動軸（２１）は、植付部（Ｃ）が上下昇降した際にも、後部駆動軸（２１−２）が自在継手（２１−３）を中心に上下回動すると共に伸縮作動して、走行部（Ｂ）のミッションケース（５）から植付部（Ｃ）の植付駆動ケース（２２）への動力伝達機能を確保することができるものである。
　【００１３】
　（１１）は、後端をリヤアクスルケース（８）の上部に連結しながら、側面視隆起状に形成したパイプ状の後部フレームで、上部位置にてリヤフェンダ（１２）や運転者用座席（１３）を装着している。そして、後部フレーム（１１）の前側部は、アッパーフレーム（１）の左右後端（１−１）とＴ字状に交わって一体的に連結されていると共に、同後部フレーム（１１）の左右の前端部はロアーフレーム（１０）の中間位置（１０−１）で、かつ、機体の略中間位置にてＴ字状に交わりながら一体的に連結されている。
　【００１４】
　（１４）はエンジンプーリで、ミッションケース（５）の入力プーリ（１５）との間にＶベルト（１６）を巻掛けて連動連結している。（１７）はアッパーフレーム（１）の上面に位置させた広幅状のステップ兼用のケーシング体で、後側はリヤフェンダ（１２）と一体的に接続されていると共に、床面、変速ガイド板等を兼用すべく、ＦＲＰ等の高剛性を有する合成樹脂により作成されている。
　【００１５】
　（１８）は変速レバーで、ステアリングシャフト（３）の近傍に位置している。（２３）は昇降リンク機構であって、後部フレーム（１１）の後部位置にリンク支持ブラケット（２４）を設けて左右一対のリフトアーム（２５）の基部を枢着している。（２６）は、ロアーフレーム（１０）の中間に基部（２６−１）を枢着すると共に、先端をリフトアーム（２５）の上部支軸（２７）との間に装着した昇降シリンダである。（２８）は昇降リンク機構（２３）の上部リンクで前端をリフトアーム（２５）の上部支軸（２７）に連結されながら、後端は植付フレーム（２９）の上部に軸架した横軸（３０）に枢支されている。
　【００１６】
　（３１）は下部リンクで、前端をリンク支持ブラケット（２４）に枢着されながら、後端は植付フレーム（２９）の下部に軸架した連結支軸（３２）に枢支されている。
　【００１７】
　そして、上部リンク（２８）及び下部リンク（３１）並びにリフトアーム（２５）、そして、植付フレーム（２９）とにより平行リンクを構成している。
　【００１８】
　植付部（Ｃ）は、上記植付フレーム（２９）の上方に配設した苗載台（３３）上に複数分の苗載部を設け、各苗載部に苗を載置して、各載置苗を、植付駆動ケース（２２）の後部に設けた植付機構部（３４）の作動により圃場に植付けるようにしている。
　【００１９】
　そして、苗載台（３３）は、植付駆動ケース２２に支持させると共に、一定のストロークで左右方向に往復移動自在としており、苗載台（３３）のストロークエンドにおいて、載置苗を所定量づつ縦送りする縦送り装置（図示せず）を設けている。（３５）は、植付駆動ケース（２２）の前部に、機体前後方向に設ける入力軸で、後端に駆動べベルギヤ（３６）を固着している。（３７）は、植付駆動ケース（２２）内に横方向に設ける植付主軸で、中央に従動べベルギヤ（３８）を固着して前記駆動ベベルギヤ（３６）と噛合自在となっている。（３９）は、植付主軸（３７）の左側に軸支する植付主軸スプロケットで、上記植付主軸（３７）は、左右両側をボールベアリング（４０−１）（４０−２）により回転自在に支持されている。そして、植付主軸（３７）の右端は、植付駆動ケース（２２）の外側に突出しながら、横送り駆動歯車（４１）を装着している。
　【００２０】
　また、（４２）は、植付主軸（３７）と平行に位置する横送り軸で、右端に横送り従動歯車（４３）を装着している。
　【００２１】
　そして、上記横送り駆動歯車（４１）と横送り従動歯車（４３）とは、植付駆動ケース（２２）の右側（ａ）に外装された横送り切換ギヤケース（４４）に内装されている。
　【００２２】
　また、横送り軸（４２）は、左右両側をボールベアリング（４５−１）（４５−２）により回転自在に支持されている。
　【００２３】
　そして、横送り軸（４２）の左側には、横送りネジ（４６）を植付駆動ケース（２２）の左側壁より外側方へ突出状態に配置して連結すると共に、同横送り軸（４２）の中央には縦送り駆動ギヤ（４７）を軸支しており、横送りネジ（４６）の外周面には、横移動用コマ受け部材（図示せず）をスライド自在に嵌合させる往復螺旋溝（４６ａ）を形成して、苗載台（３３）を左右方向に往復させる横送りを可能としている。
　【００２４】
　また、（４８）は、横送り軸（４２）に平行して位置する縦送り軸で、右側に前記縦送り駆動ギヤ（４７）に噛合する縦送り従動ギヤ（４９）を軸支している。
　【００２５】
　そして、同縦送り軸（４８）の右側には、連結継手（５０−１）（５０−２）を介して苗載台（３３）に設けた縦送り装置を縦送り駆動する縦送りカム軸（５１）を配設しており、同縦送りカム軸（５１）には縦送りカム（５２）を一体的に突設して、同縦送りカム（５２）が前記縦送り装置を縦送り駆動する操作部材（図示せず）に対して、前記苗載台（３３）が左右の移動端に位置する度に間欠的に係合作動するようにしている。
　【００２６】
　しかも、縦送りカム軸（５１）は、その縦送りカム（５２）部分が前記植付駆動ケース（２２）の左右方向での横一側外方に位置する状態で配設し、この縦送りカム軸（５１）の一側を、前記植付駆動ケース（２２）に軸支させると共に、同植付駆動ケース（２２）内に設けた縦送り軸（４８）に連動連結して、植付駆動ケース（２２）の左側壁より外側方へ突出状態に配置して連結している。さらには、縦送りカム軸（５１）の横一側外方への延出端は、植付駆動ケース（２２）に連結パイプ（７１）を介して軸支させかつ機体最外側に配置した植付爪（６６）の近傍に配置している。そして、植付駆動ケース（２２）に連結する横長姿勢の連結パイプ（７１）と前記横送りネジ（４６）とを互いに平行姿勢に配置し、この連結パイプ（７１）と横送りネジ（４６）との間に前記縦送りカム軸（５１）を配置している　また、縦送りカム軸（５１）の左端は、ボールベアリング（５３−１）により回転自在に支持されている。縦送り軸（４８）の両端は、ボールベアリング（５２−１）（５２−２）により回転自在に支持されている。
　【００２７】
　ここで、上記横送りネジ（４６）及び縦送りカム軸（５１）は、植付駆動ケース（２２）の左側（ｂ）位置にて連結されているものである。
　【００２８】
　また、植付駆動ケース（２２）の後部には、植付駆動スプロケット（５４）を回転自在に軸支して、無端チェン（５５）を介して前記植付主軸スプロケット（３９）と連動連結している。
　【００２９】
　（５６）は、植付駆動スプロケット（５４）の内径部に設ける連結継手で左右両側に植付伝動軸（５７）（５７）を連結している。
　【００３０】
　このように、植付伝動軸（５７）（５７）を植付駆動ケース（２２）に連結継手（５６）を介して連結しているため、植付機構部（３４）を植付駆動ケース（２２）に容易に着脱することができる。また、（５８）は、植付伝動軸（５７）の端側に装着するべベルギヤ、（５９）は、同べベルギヤ（５８）と噛合うベベルギヤで、前記植付伝動軸（５７）に対して直角方向で、かつ、機体後方向に位置する植付アーム駆動軸（６０）の前端に装着されている。（６１）は、植付アーム駆動軸（６０）の後端に装着するべベルギヤ、（６２）は、植付アーム駆動軸（６０）に対して直角方向で、かつ、機体横方向に位置する植付アーム軸で、中央に前記ベベルギヤ（６１）と噛合うべベルギヤ（６３）を装着している。そして、植付アーム駆動軸（６０）の前後に各々ベベルギヤ伝動機構（６４−１）（６４−２）を構成している。
　【００３１】
　また、植付アーム軸（６２）の左右両側にはクランクアーム（６５）（６５）を連結して、同クランクアーム（６５）（６５）には前端に植付爪（６６）を有する植付アーム（６７）を連結している。
　【００３２】
　（６８）は、植付アーム軸（６２）の後方上部に位置する従動アーム支点軸で、両側に従動アーム（６９）を揺動自在に位置させている。（７０）は、植付アーム（６７）の後端と従動アーム（６９）の前端とを連結するアーム取付軸である。そして、植付駆動ケース（２２）の左右両側に連結する植付伝動軸（５７）は、第３図に示す如く、連結パイプ（７１）にて覆われている。
　【００３３】
　また、（７２）は、前後方向に軸線を向けて、植付アーム駆動軸（６０）を覆いながらベベルギヤ伝動機構（６４−１）（６４−２）を連結支持する駆動軸ケースである。（７３）は、左右方向に軸線を向けて、植付アーム軸（６２）を覆う植付アーム軸ケースで、前記駆動軸ケース（７２）の後部に略直交させて一体的に連通連設している。
　【００３４】
　そして、連結パイプ（７１）と駆動軸ケース（７２）と植付アーム軸ケース（７３）は、それぞれ円形パイプ状となしている。
　【００３５】
　このようにして、各軸（５７）（６０）（７２）を被覆する連結パイプ（７１）及び各ケース（７２）（７３）を、剛性を確保したまま軽量化かつコンパクト化することができて、この点からも植付機構部（３４）の植付駆動ケース（２２）への組付け・取り外し作業を容易なものとすることができる。
　【００３６】
　また、（７４）は、従動アーム支点軸（６８）を支持する支点軸ケースで、第５図に示す如く、調整板（７５）によって植付アーム軸ケース（７３）に対して前後方向に位置変更自在に取付けられている。（７６）は、調整板（７５）の基部に設ける円弧状長孔、（７７）は、植付アーム軸ケース（７３）に固着する取付座、（７８）は固定用ボルトである。
　【００３７】
　そして、支点軸ケース（７４）を植付アーム軸（６２）を中心に前後に回転移動させることにより、従動アーム支点軸（６８）の位置が変わり、第４図に示す如く、植付アーム（６７）及び植付爪（６６）の回動軌跡が調節可能となる。
　【００３８】
　これにより、植付爪（６６）による苗の縦取量の調節が可能となるものである。
　【００３９】
　また、（７９）は、従動アーム支点軸（６８）の両側を支持するボールベアリングで、第６図に示す如く、広幅状に一体化された支点軸ケース（７４）に装着されている。
　【００４０】
　また、第７図は苗載台（３３）の取付状態を示すものであって、同苗載台（３３）を断面円形の駆動軸ケース（７２）にて支持しており、（７９）は、駆動軸ケース（７２）の上部に突設する支持板で、上部に上下方向に長孔（８０）を形成している。（８１）は、苗載台（３３）の苗取出板（３３−１）に突設する突状ピンで、前記長孔（８０）に嵌装されている。（８２）は、駆動軸ケース（７２）の外周に回動可能に嵌装する回動アームで、横向きに作動板（８３）を設け、下側には連結板（８４）を突設している。そして、作動板（８３）には固定ピン（８５）を下向きに設けている。
　【００４１】
　（８６）は、苗取出板（３３−１）の下側左右に各々突設する上下調節板で、横向き状の切欠溝（８７）を設けながら前記固定ピン（８５）を嵌装している。
　【００４２】
　（８８）は、苗載台（３３）を上下動させて苗の取出量を調節する調節レバーで、支点軸（８９）を中心に左右に移動可能となっている。（９０）は、調節レバー（８８）の下端に設ける作動ロッドで、前記回動アーム（８２）の連結板（８４）に連結している。（９１）は連結ピン、（９２）は取付ピン、（８８−１）は調節用目盛板である。
　【００４３】
　そして、前記調節レバー（８８）を右方向に回動させると、回動アーム（８２）が右方向に回動して、苗載台（３３）は下方に移動し、苗の取出量は増大するものである。また、調節レバー（８８）を左方向に回動させると、苗載台（３３）は上方に移動して、苗の作動量は少なくなるものである。
　【００４４】
　そして、この場合は苗載台（３３）の上下調節用の回動アーム（８２）などが駆動軸ケース（７２）に軸支されているので、苗取出量の調節を行う操作リンクの軸受部が不要であって、構造がコンパクトとなるものである。
　【００４５】
　また、苗載台（３３）の支持部材が断面円形の駆動軸ケース（７２）により兼用されているから、軸受としての剛性が高く、苗載台（３３）を安定した状態で支持することができるものである。
　【００４６】
　また、第８図は、苗載台（３３）を支持するサイドフレームの取付構造を示すものであって、（９３）は、植付駆動ケース（２２）に固定する植付取付台、（９４）は、植付取付台（９３）の前方に設けるローリングシャフトで昇降リンク機構（２３）に連結されている。
　【００４７】
　（９５）は、植付取付台（９３）の上部に連結するＵ字状のサイドフレームで左右一体となっている。そして、サイドフレーム（９５）の上部には苗載台支持用の支持ローラ（９６）を装着している。したがって、この場合は、サイドフレーム（９５）が左右一体形となっているために、左右の支持ローラ（９６）の位置にズレが生じず苗載台（２３）を常時スムーズに往復移動させることができ、また、苗載台（３３）がねじれ状に取付くようなことがないものである。
　【００４８】
　本発明の実施例は上記のように構成しているものであり、苗載台（３３）の左右移動量を変更して苗取量を調節する場合は、植付駆動ケース（２２）の右側面（ａ）に連結する横送り切換ギヤケース（４４）を取出して、横送り駆動歯車（４１）及び横送り従動歯車（４３）の歯車比を変更して再度組付けることにより、横送り軸（４２）及び横送りネジ（４６）の回転速度を変更する。
　【００４９】
　これにより、横送りネジ（４６）に連動連結する苗載台（３３）の移動量が変更させるものである。
　【００５０】
　また、苗載台（３３）の苗の縦取量を調節する場合は、植付駆動ケース（２２）に接続する植付機構部（３４）の従動アーム支点軸（６８）を、植付アーム軸（６２）を中心に前後に回動させて変更することにより、植付爪（６６）の回動軌跡を変更させながら、苗の縦取量を調節自在とするものである。
　【００５１】
　以上の如く、本発明による場合は、植付駆動ケース（２２）の右側（ａ）に苗取り量の調節を行う横送り切換ギヤケース（４４）を外装して、同植付駆動ケース（２２）の側面位置にて組替え可能としているために、横送り量の調節が容易でありながら植付駆動ケース（２２）を軽量、かつ、コンパクトにできると共に、前後バランスが最適状態に改善されるものである。
　【００５２】
　そして、植付部全体の組立が容易となり、かつ、植付爪（６６）のタイミング合せが容易化されるものである。
　【００５３】
　また、横送りネジ（４６）と縦送りカム軸（５１）が植付駆動ケース（２２）の左側（ｂ）にまとめて位置するために、入力軸（３５）の偏心を含めて重量配分が良好となり、さらに、軸受部がサイドフレーム（９５）近傍に位置するので、植付フレーム（２９）が機能的に構成できるものである。
　【００５４】
　また、本発明は、植付駆動ケース（２２）に連結する植付伝動軸（５７）と、植付機構部（３４）の植付アーム軸（６２）とを接続する植付アーム駆動軸（６０）を断面円形のパイプ状駆動軸ケース（７２）にて覆うものであるから、同駆動軸ケース（７２）を構造簡単に構成できて、重量軽減を図ることができるものである。
　【００５５】
　さらに、植付機構部（３４）において、先端に支点軸ケース（７４）を取付けた調整板（７５）の基部を前後方向に揺動自在に取付けて、支点軸ケース（７４）及び従動アーム支点軸（６８）を前後方向に変更可能として植付爪（６６）の軌跡を変更し、これにより苗の縦取量を調節自在としているから、同苗の縦取量の調節機構全体が簡単となり、したがって、部品点数が削減されると共に、調節方法が確実であるといった優れた効果を奏するものである。
　【００５６】
　【効果】
　本発明によれば、次のような効果が得られる。すなわち、本発明では、縦送り装置の操作部材と植付伝動ケースとが干渉の虞のないものとなっていることにより、苗載台と植付駆動ケースとを極力近接させるように配置させることができて、植付部全体としてコンパクトなものを得ることができる。そして、前記縦送りカム軸の横一側外方への延出端を、機体最外側に配置した植付爪の近傍に配置しているため、苗載台の横外側方から操作部材や縦送りカムの調整等のメンテナンスが行い易くなって、そのメンテナンスにおける作業能率を向上できる。しかも、植付駆動ケースにおける縦送りカム軸に対するシーリングを少なくすることができて、シーリングに関してコスト低下が図れる。
　
また、本発明によれば、植付伝動軸を植付駆動ケースに連結継手を介して連結しているため、植付機構部を植付駆動ケースに容易に着脱することができ、植付機構部の植付駆動ケースへの組付け・取り外し作業を容易なものとすることができる。
【図面の簡単な説明】
　【図１】
　本発明を装備する乗用田植機の全体側面図。
　【図２】
　植付部の動力伝動機構図。
　【図３】
　植付部の要部平面図。
　【図４】
　植付機構部の拡大側面図。
　【図５】
　同要部の斜視図。
　【図６】
　植付機構部の支点軸ケースの断面図。
　【図７】
　苗載台の取付部を示す背面図。
　【図８】
　苗載台を支持するサイドフレームの取付構造を示す斜視図。
　【符号の説明】
　（Ｃ）　：植付部
　（２２）：植付駆動ケース
　（３３）：苗載台
　（３４）：植付機構部
　（４４）：横送り切換ギヤケース
　（４６）：横送りネジ
　（５１）：縦送りカム軸
　（５７）：植付伝動軸
　（６０）：植付アーム駆動軸
　（６２）：植付アーム軸
　（６４−１）：ベベルギヤ伝動機構
　（６４−２）：ベベルギヤ伝動機構
　（６６）：植付爪
　（６８）：従動アーム支点軸